(57)【特許請求の範囲】
【請求項１】
大径パイプと、大径パイプ内に挿入可能な小径パイプとから成り、大径パイプの一端に、小径パイプを所定の長さに引き出した状態で大径パイプに固定する長さ調節手段を設け、この長さ調節手段は、大径パイプの一端に固定した筒状のジョイント基部と、このジョイント基部に一端側が回転可能に取り付けられ、他端側の内周面に雌ネジを設けた筒状の回転ネジ部と、回転ネジ部の雌ネジに螺合する雄ネジを外周面に設けた筒状の移動ネジ部とから成り、ジョイント基部の下方外周面に所定幅の環状凹部を設け、回転ネジ部の上方内周面に所定幅の環状凸部を設け、この回転ネジ部は、ジョイント基部の環状凹部に自身の環状凸部を係合させて、ジョイント基部の下方に回転可能に取り付けられていることを特徴とする伸縮棒。
【請求項２】
大径パイプの長さ調節手段は、大径パイプから小径パイプを引き出して大径パイプと小径パイプを縦方向に配置した際、手の届く範囲の比較的低位置に設けられている請求項１記載の伸縮棒。
【請求項３】
大径パイプの長さ調節手段は、小径パイプを所定の長さに引き出した状態で大径パイプに固定すると共に、小径パイプの長さの微調整が可能である請求項１または２記載の伸縮棒。
【請求項４】
移動ネジ部は、小径パイプの外周面に圧接して所定の長さに引き出した小径パイプを大径パイプに固定する止めネジを保持している筒状の係止胴部を備えている請求項１記載の伸縮棒。
【請求項５】
大径パイプから小径パイプを所定の長さに引き出して、移動ネジ部の係止胴部に保持している止めネジを小径パイプの外周面に圧接して伸縮棒の大まかな長さ調節を行なった後、ジョイント基部の所定幅の環状凹部に自身の所定幅の環状凸部を係合させ、ジョイント基部の下方に回転可能に取り付けられている回転ネジ部を回して回転ネジ部と移動ネジ部との捩じ込み深さを変えることで、伸縮棒の長さの微調整を行なうことを特徴とする伸縮棒の長さ調節方法。
【発明の詳細な説明】
【０００１】
【発明の属する技術分野】
本発明は、例えば、室内における床面と天井面との間に縦方向に配置したり、押し入れ内等に横方向に配置することで、所謂突っ張り状態で固定する伸縮棒と、その長さ調節方法に関するものである。
【０００２】
【従来の技術】
様々な用途に対応できる長さ調節可能な伸縮棒として、従来より種々の構造のものが提案されている。その多くは、大径パイプの中に小径パイプを挿入しており、使用に際して、大径パイプから小径パイプを所定の長さに引き出して伸縮棒の長さを大まかに調節し、その後、大径パイプの所定の位置に取り付けた長さ調節手段により、伸縮棒の長さの微調整を行なうものである。
【０００３】
【発明が解決しようとする課題】
しかしながら、従来の伸縮棒においては、以下のような弊害が生じている。
【０００４】
例えば、長尺タイプの伸縮棒においては、比較的に長く形成された大径パイプから小径パイプを引き出し、大径パイプの一端に取り付けた長さ調節手段により、小径パイプを大径パイプに固定すると共に、伸縮棒の長さの微調整を行なっている。そして、伸縮棒を床面と天井面の間に縦方向に配置して固定するとき等は、大径パイプが長く形成されているため、大径パイプの長さ調節手段も比較的上方に位置することとなる。そのため、例えば、つま先で立って可能な限り手を伸ばしたような力の入りにくい状態で長さ調節手段を操作しなければならない事態が生じて、伸縮棒の長さの調節が非常に面倒であった。また、この様な事態を回避するために、伸縮棒の長さを調節する際に、いちいち脚立や踏台等を用意するのも非常に面倒である。
【０００５】
本発明は、叙上のような従来存した問題点に鑑み創出されたもので、伸縮棒を縦方向に配置した際、大径パイプの長さ調節手段を、手の届く範囲の比較的低位置に設けることにより、誰もが長さ調節手段を容易に操作し、伸縮棒の長さ調節を極めて簡単に行なうことができる伸縮棒と、その長さ調節方法を提供することを目的としたものである。
【０００６】
【課題を解決するための手段】
このため、本発明に係る伸縮棒においては、大径パイプと、大径パイプ内に挿入可能な小径パイプとから成り、大径パイプの一端に、小径パイプを所定の長さに引き出した状態で大径パイプに固定する長さ調節手段を設け、この長さ調節手段は、大径パイプの一端に固定した筒状のジョイント基部と、このジョイント基部に一端側が回転可能に取り付けられ、他端側の内周面に雌ネジを設けた筒状の回転ネジ部と、回転ネジ部の雌ネジに螺合する雄ネジを外周面に設けた筒状の移動ネジ部とから成り、ジョイント基部の下方外周面に所定幅の環状凹部を設け、回転ネジ部の上方内周面に所定幅の環状凸部を設け、この回転ネジ部は、ジョイント基部の環状凹部に自身の環状凸部を係合させて、ジョイント基部の下方に回転可能に取り付けられていることで、上述した課題を解決した。
【０００７】
また、大径パイプの長さ調節手段は、大径パイプから小径パイプを引き出して大径パイプと小径パイプを縦方向に配置した際、手の届く範囲の比較的低位置に設けられていることで、同じく上述した課題を解決した。
【０００８】
さらに、大径パイプの長さ調節手段は、小径パイプを所定の長さに引き出した状態で大径パイプに固定すると共に、小径パイプの長さの微調整が可能であることで、同じく上述した課題を解決した。
【００１０】
加えて、移動ネジ部は、小径パイプの外周面に圧接して所定の長さに引き出した小径パイプを大径パイプに固定する止めネジを保持している筒状の係止胴部を備えていることで、同じく上述した課題を解決した。
【００１１】
一方、本発明に係る伸縮棒の長さ調節方法においては、大径パイプから小径パイプを所定の長さに引き出して、移動ネジ部の係止胴部に保持している止めネジを小径パイプの外周面に圧接して伸縮棒の大まかな長さ調節を行なった後、ジョイント基部の所定幅の環状凹部に自身の所定幅の環状凸部を係合させ、ジョイント基部の下方に回転可能に取り付けられている回転ネジ部を回して回転ネジ部と移動ネジ部との捩じ込み深さを変えることで、伸縮棒の長さの微調整を行なうことにより、同じく上述した課題を解決した。
【００１２】
本発明に係る伸縮棒と、その長さ調節方法においては、大径パイプの長さ調節手段が、手の届く範囲の比較的低位置に設けられているので、誰もが長さ調節手段を簡単に操作できる。そのため、大径パイプから小径パイプを所定の長さに引き出した状態において、移動ネジ部の係止胴部に保持している止めネジを回して小径パイプの外周面に止めネジの先端を圧接し、小径パイプの移動を阻止した状態で小径パイプを大径パイプに固定することで、伸縮棒全体の大まかな長さ調節を簡単に行なうことができる。そして、小径パイプを移動ネジ部に固定した状態において、回転ネジ部を回して回転ネジ部と移動ネジ部との捩じ込み深さを変えることで、伸縮棒の長さの微調整を誰もが容易に行なうことができる。
【００１３】
【発明の実施の形態】
以下、図面を参照して本発明の一実施の形態を説明する。本発明に係る伸縮棒は、図１・図２に示すように、大径パイプ１と、大径パイプ１に挿入可能な小径パイプ２とから成る。そして、大径パイプ１の一端に、長さ調節手段Ｐを設けている。
【００１４】
伸縮棒を構成する大径パイプ１と小径パイプ２は、例えば、亜鉛メッキ・ＡＢＳ樹脂コーティング・ナイロンコーティング等を施したステンレススチール製で、大径パイプ１内に小径パイプ２を挿入した状態で小径パイプ２をスライド移動させるため、小径パイプ２の外径は、大径パイプ１の内径よりも僅かに小さくなるように形成されている。また、大径パイプ１と小径パイプ２は、例えば、１ｍ前後の長さに形成されている。
【００１５】
尚、大径パイプ１と小径パイプ２の長さは、１ｍ前後に限定されるものではない。すなわち、大径パイプ１と小径パイプ２を縦方向に配置した際（小径パイプ２が下方で大径パイプ１が上方に位置する場合・大径パイプ１が下方で小径パイプ２が上方に位置する場合のいずれをも含む）、大径パイプ１の長さ調節手段Ｐが、手の届く範囲の比較的低位置にある限り、大径パイプ１と小径パイプ２をどの様な長さに形成しても差し支えない。また、大径パイプ１と小径パイプ２を横方向に配置する際は、大径パイプ１と小径パイプ２をどの様な長さに形成しても良い。さらに、大径パイプ１と小径パイプ２を同じ長さに形成する必要もなく、一方を長く・他方を短かく形成しても差し支えない。
【００１６】
大径パイプ１に設けた長さ調節手段Ｐは、図２・図３に示すように、大径パイプ１から小径パイプ２を所定の長さに引き出した状態で、大径パイプ１に小径パイプ２を固定するものである。また、長さ調節手段Ｐは、図４（ｂ）・（ｃ）に示すように、大径パイプ１に固定した小径パイプ２の長さの微調整が可能である。この長さ調節手段Ｐは、例えば、合成樹脂等の素材を用いて形成されている。また、大径パイプ１の長さ調節手段Ｐは、図４・図５に示すように、小径パイプ２が下方で大径パイプ１が上方に位置する伸縮棒を、縦方向に配置して大径パイプ１から小径パイプ２を所定の長さに引き出した際、手の届く範囲の比較的低位置に設けられている。
【００１７】
さらに、長さ調節手段Ｐは、図２に示すように、大径パイプ１の一端に固定したジョイント基部３と、ジョイント基部３に回転可能に取り付けた回転ネジ部４と、回転ネジ部４に捩じ込まれている移動ネジ部５とから成る。長さ調節手段Ｐを構成するジョイント基部３は、図３に示すように、筒状に形成され、その上端開口縁を大径パイプ１の一端周面部に被せるようにして嵌め込み、大径パイプ１の下端に固定されている。また、図２・図３に示すように、ジョイント基部３の下方には、筒体の外周面に所定幅の環状凹部３Ａを設けている。加えて、環状凹部３Ａの上方には、筒体の外周面に環状凸部３Ｂを設けている。この環状凸部３Ｂは、ジョイント基部３の下方に回転可能に取り付けた回転ネジ部４の上端部が当接するものである。
【００１８】
一方、ジョイント基部３の下方に取り付けられる回転ネジ部４は、図３に示すように、筒状に形成され、筒体の上方内周面に、所定幅の環状凸部４Ａを設けている。また、筒体の環状凸部４Ａよりも下方の内周面には、雌ネジ４Ｂを設けている。この回転ネジ部４は、ジョイント基部３の環状凹部３Ａに自身の環状凸部４Ａを係合させて、ジョイント基部３の下方に回転可能に取り付けられている。
【００１９】
この他、回転ネジ部４の下方に捩じ込まれる移動ネジ部５は、図３に示すように、筒状に形成され、筒体の上方外周面に、雄ネジ５Ａを設けている。この移動ネジ部５の雄ネジ５Ａは、回転ネジ部４の雌ネジ４Ｂに螺合するものである。また、移動ネジ部５は、雄ネジ５Ａの下方に係止胴部５Ｂを備えている。この係止胴部５Ｂは、止めネジ６を保持している。すなわち、係止胴部５Ｂは、自身の肉厚形成部分にネジ孔５Ｃを設け、このネジ孔５Ｃに止めネジ６を捩じ込んで保持している。この様にして、大径パイプ１の下端に長さ調節手段Ｐが設けられることとなる。
【００２０】
そして、図３に示すように、小径パイプ２は、長さ調節手段Ｐを構成する移動ネジ部５内、ジョイント基部３内を通過して、大径パイプ１内に挿入されている。この状態において、移動ネジ部５の止めネジ６を回して筒体の内周面側に移動させ、止めネジ６の先端を小径パイプ２の外周面に圧接することで、大径パイプ１から所定の長さに引き出した小径パイプ２のスライド移動を阻止し、小径パイプ２を大径パイプ１に固定している。この止めネジ６は、例えば、ネジ頭部に幅広な摘み部を設けてあり、止めネジ６の捩じ込み操作を手指により簡単に行なえるようにしている。さらに、移動ネジ部５は、雄ネジ５Ａと係止胴部５Ｂの間において、筒体の外周面に環状凸部５Ｄを設けている。この環状凸部５Ｄは、移動ネジ部５を回転ネジ部４に捩じ込んだ際、回転ネジ部４の下端縁部に当接して、回転ネジ部５における移動ネジ部５のそれ以上の捩じ込み移動を停止させるものである。
【００２１】
この様に構成された伸縮棒は、図４（ａ）・（ｂ）に示すように、大径パイプ１から小径パイプ２を所定の長さに引き出し、移動ネジ部５の係止胴部５Ｂに保持している止めネジ６を回してその先端を小径パイプ２の外周面に圧接し、移動ネジ部５に小径パイプ２を固定することで伸縮棒の大まかな長さ調節を行なう。そして、図４（ｃ）に示すように、一方の手で大径パイプ１を握みながら他方の手で回転ネジ部４を回し、回転ネジ部４と移動ネジ部５における捩じ込み深さを変えることで小径パイプ２を若干伸ばし、伸縮棒が突っ張った状態となるよう伸縮棒の長さの微調整を行なうものである。
【００２２】
以下に、本発明に係る伸縮棒の具体的な使用の一例を説明する。まず、伸縮棒を使用せずに所定の場所に保管するときは、図４（ａ）に示すように、大径パイプ１の長さ調節手段Ｐにおける止めネジ６を緩めた状態とし、大径パイプ１の奥まで小径パイプ２をスライド移動させ、伸縮棒を可能な限り短かくする。そして、止めネジ６を回してその先端を小径パイプ２の外周面に圧接させると、伸縮棒の短かくなった状態が確実に維持される。
【００２３】
この様に短かくなっている伸縮棒を、例えば、床面と天井面の間に配置して使用する際は、床面と天井面との間における距離に対応するため、移動ネジ部５の係止胴部５Ｂに保持している止めネジ６を緩めた状態とし、図４（ａ）・（ｂ）に示すように、大径パイプ１から小径パイプ２を所定の長さに引き出す。そして、適当な位置で移動ネジ部５の止めネジ６を回して止めネジ６の先端を小径パイプ２の外周面に圧接し、小径パイプ２のスライド移動を阻止した状態で小径パイプ２を大径パイプ１に固定する。この様にして、伸縮棒の大まかな長さ調節を行なう。
【００２４】
その後、一方の手で大径パイプ１を握みながら他方の手で回転ネジ部４を所定の方向に回し、回転ネジ部４の下方に捩じ込んでいる移動ネジ部５の捩じ込み深さを変えることで、伸縮棒の長さの微調整を行なう。このとき、回転ネジ部４の回転により小径パイプ２を固定している移動ネジ部５を下方に移動させて、小径パイプ２を若干伸ばした状態とする。そして、図４（ｃ）に示すように、床面と天井面に小径パイプ２の一端と大径パイプ１の一端が突っ張り状態となって当接し、床面と天井面の間に伸縮棒が固定される。このとき、大径パイプ１と小径パイプ２の端部に、接触面積の大きい当接片７を取り付けておくと、床面と天井面に傷を付けることがない。
【００２５】
この様にして、図５に示すように、例えば、押し入れ内等において、２本の伸縮棒を適当な間隔で立設し、それぞれの伸縮棒に取り付けた所定のホルダー８を介して横杆９を設置したときには、この横杆９にハンガー等を引っ掛けて衣服を吊るすことができる。また、図６に示すように、例えば、出窓等において伸縮棒を横方向に配置し、窓の側面に伸縮棒を突っ張り状態に取り付けると、所定のリングを介してカーテンを吊り下げるためのカーテン棒等としても利用できる。
【００２６】
尚、図１乃至図５に示す伸縮棒は、長さ調節手段Ｐを備えている大径パイプ１が上方に位置し、この大径パイプ１の下方において小径パイプ２を出し入れする態様であるが、本発明はこれに何ら限定されるものではない。例えば、図７乃至図９に示すように、長さ調節手段Ｐを備えている大径パイプ１が下方に位置し、この大径パイプ１の上方において小径パイプ２を出し入れする態様のものであっても差し支えない。
【００２７】
すなわち、大径パイプ１が下方に位置する態様において、長さ調節手段Ｐを構成するジョイント基部３は、図８・図９に示すように、筒体の下端開口縁を大径パイプ１の一端周面部に被せるようにして嵌め込み、大径パイプ１の上端に固定されている。また、ジョイント基部３の上方には、筒体の外周面に所定幅の環状凹部３Ａを設け、環状凹部３Ａの下方には、筒体の外周面に環状凸部３Ｂを設けている。この環状凸部３Ｂは、ジョイント基部３の上方に回転可能に取り付けた回転ネジ部４の下端部が当接するものである。
【００２８】
一方、ジョイント基部３の上方に取り付けられる回転ネジ部４は、図９に示すように、筒体の下方内周面に、所定幅の環状凸部４Ａを設けている。また、筒体の環状凸部４Ａよりも上方の内周面には、雌ネジ４Ｂを設けている。この回転ネジ部４は、ジョイント基部３の環状凹部３Ａに自身の環状凸部４Ａを係合させて、ジョイント基部３の上方に回転可能に取り付けられている。
【００２９】
この他、回転ネジ部４の上方に捩じ込まれる移動ネジ部５は、図９に示すように、筒体の下方外周面に、雄ネジ５Ａを設けている。この移動ネジ部５の雄ネジ５Ａは、回転ネジ部４の雌ネジ４Ｂに螺合するものである。また、移動ネジ部５は、雄ネジ５Ａの上方に係止胴部５Ｂを備え、この係止胴部５Ｂは、止めネジ６を保持している。
【００３０】
この様に大径パイプ１が下方に位置する伸縮棒を、例えば、床面と天井面の間に配置して使用する際は、床面と天井面との間における距離に対応するため、移動ネジ部５の係止胴部５Ｂに保持している止めネジ６を緩めた状態とし、図１０（ａ）・（ｂ）に示すように、大径パイプ１から小径パイプ２を所定の長さに引き出す。そして、適当な位置で移動ネジ部５の止めネジ６を回して止めネジ６の先端を小径パイプ２の外周面に圧接し、小径パイプ２のスライド移動を阻止した状態で小径パイプ２を大径パイプ１に固定する。この様にして、伸縮棒の大まかな長さ調節を行なう。
【００３１】
その後、一方の手で大径パイプ１を握みながら他方の手で回転ネジ部４を所定の方向に回し、回転ネジ部４の上方に捩じ込んでいる移動ネジ部５の捩じ込み深さを変えることで、伸縮棒の長さの微調整を行なう。このとき、回転ネジ部４の回転により小径パイプ２を固定している移動ネジ部５を上方に移動させて、小径パイプ２を若干伸ばした状態とする。そして、図１０（ｃ）に示すように、床面と天井面に大径パイプ１の一端と小径パイプ２の一端が突っ張り状態となって当接し、床面と天井面の間に伸縮棒が固定される。
【００３２】
この様に本発明に係る伸縮棒は、室内における床面と天井面の間や、出窓や押し入れ内等における所定の空間において、縦方向や横方向に配置され、小径パイプ２を伸ばして大径パイプ１と小径パイプ２による所謂突っ張り状態を形成して固定されるものである。
【００３３】
【発明の効果】
本発明に係る伸縮棒は、大径パイプ１と、大径パイプ１内に挿入可能な小径パイプ２とから成り、大径パイプ１の一端に、小径パイプ２を所定の長さに引き出した状態で大径パイプ１に固定する長さ調節手段Ｐを設けたことから、この長さ調節手段Ｐを操作して、誰もが簡単に伸縮棒の長さを調節できる。その結果、例えば、室内における床面と天井面の間や、出窓や押し入れ内等における所定の空間において、縦方向や横方向に伸縮棒を配置し、小径パイプ２を伸ばして大径パイプ１と小径パイプ２による所謂突っ張り状態を形成し、伸縮棒を簡単に固定できる。
【００３４】
また、大径パイプ１の長さ調節手段Ｐは、大径パイプ１から小径パイプ２を引き出して大径パイプ１と小径パイプ２を縦方向に配置した際、手の届く範囲の比較的低位置に設けられていることから、長さ調節手段Ｐを誰もが確実に手で握んで操作し、伸縮棒の長さを調節できる。すなわち、長さ調節手段Ｐは、手の届く範囲の比較的低位置に設けられているため、つま先で立って手を可能な限り上方に伸ばしたような力の入りにくい状態で長さ調節手段Ｐを操作する必要が全くないのである。また、伸縮棒の長さを調節する際に、脚立や踏台等をその都度用意する必要も勿論ない。
【００３５】
さらに、大径パイプ１の長さ調節手段Ｐは、小径パイプ２を所定の長さに引き出した状態で大径パイプ１に固定すると共に、小径パイプ２の長さの微調整が可能であることから、例えば、床面と天井面の間に伸縮棒を突っ張り状態に配置し、床面と天井面に適正な負荷がかかった状態で伸縮棒を確実に固定できる。そのため、突っ張り状態による負荷をかけ過ぎて、伸縮棒により床面や天井面に傷を付けることがない。
【００３６】
そして、長さ調節手段Ｐは、大径パイプ１の一端に固定した筒状のジョイント基部３と、このジョイント基部３に一端側が回転可能に取り付けられ、他端側の内周面に雌ネジ４Ｂを設けた筒状の回転ネジ部４と、回転ネジ部４の雌ネジ４Ｂに螺合する雄ネジ５Ａを外周面に設けた筒状の移動ネジ部５とから成るので、回転ネジ部４を所定方向に回転させて、小径パイプ２を固定している移動ネジ部５を回転ネジ部４内において移動させることで、大径パイプ１と小径パイプ２とから成る伸縮棒の長さを誰もが容易に微調整できる。また、移動ネジ部５は、自らの雄ネジ５Ａを回転ネジ部４の雌ネジ４Ｂに螺合させているため、小径パイプ２を伸ばして床面と天井面の間等に突っ張り状態で固定されている伸縮棒が、不意にその長さを短かくして突っ張り状態を喪失し、伸縮棒が倒れてしまうような事態の発生を確実に阻止している。
【００３７】
加えて、移動ネジ部５は、小径パイプ２の外周面に圧接して所定の長さに引き出した小径パイプ２を大径パイプ１に固定する止めネジ６を保持している筒状の係止胴部５Ｂを備えているので、止めネジ６を緩めた状態にしたときは、大径パイプ１から小径パイプ２を素早く引き出して、伸縮棒の大まかな長さ調節を即座に行なうことができる。また、止めネジ６を捩じ込むという簡単な操作により、小径パイプ２を大径パイプ１に誰もが確実に固定できる。すなわち、止めネジ６を回して止めネジ６の先端を小径パイプ２の外周面に圧接し、小径パイプ２のスライド移動を阻止した状態で小径パイプ２を大径パイプ１に固定できるのである。
【００３８】
一方、本発明に係る伸縮棒の長さ調節方法においては、大径パイプ１から小径パイプ２を所定の長さに引き出して、移動ネジ部５の係止胴部５Ｂに保持している止めネジ６を小径パイプ２の外周面に圧接することで、誰もが伸縮棒の大まかな長さ調節を即座に行なうことができる。また、回転ネジ部４を回して回転ネジ部４と移動ネジ部５との捩じ込み深さを変えることで、誰もが簡単に伸縮棒の長さの微調整を行なうことができる。すなわち、回転ネジ部４の回転により小径パイプ２を固定している移動ネジ部５を大径パイプ１と反対方向に移動させて、小径パイプ２を若干伸ばした状態とする。そして、例えば、床面と天井面に、小径パイプ２の一端と大径パイプ１の一端が突っ張り状態となって当接し、床面と天井面の間に伸縮棒が固定されるのである。また、伸縮棒を取り外すときは、回転ネジ部４を逆方向に回して小径パイプ２を若干短かくし、その突っ張り状態を解除すれば良い。
【図面の簡単な説明】
【図１】本発明に係る伸縮棒の一実施の形態を示すもので、長さ調節手段を備えている大径パイプが上方に存在する状態において、大径パイプの下方から小径パイプを挿入した状態を示す斜視図である。
【図２】長さ調節手段を備えている大径パイプが上方に存在する状態において、ジョイント基部と回転ネジ部と移動ネジ部から成る長さ調節手段の構成を示す分解斜視図である。
【図３】長さ調節手段を備えている大径パイプが上方に存在する状態において、大径パイプの下方から小径パイプを挿入した状態を示す長さ調節手段の側断面図である。
【図４】長さ調節手段を備えている大径パイプが上方に存在する状態において、伸縮棒の長さを調節する過程を示すもので、（ａ）は大径パイプから小径パイプを下方に引き出す前の状態の側面図、（ｂ）は大径パイプから小径パイプを所定の長さに引き出して大まかな長さ調節を行なった状態の側面図、（ｃ）は回転ネジ部を回して小径パイプを若干伸ばすことで伸縮棒の長さの微調整を行ない、伸縮棒を床面と天井面の間等に突っ張り状態に固定した状態を示す側面図である。
【図５】本発明に係る伸縮棒の他の実施の形態を示すもので、２本の伸縮棒を適当な間隔で立設し、両伸縮棒に、所定のホルダーを介して横杆を設置した状態を示す側面図である。
【図６】本発明に係る伸縮棒の他の実施の形態を示すもので、伸縮棒を横方向に配置し、突っ張り状態に固定した状態を示す側面図である。
【図７】本発明に係る伸縮棒の他の実施の形態を示すもので、長さ調節手段を備えている大径パイプが下方に存在する状態において、大径パイプの上方から小径パイプを挿入した状態を示す斜視図である。
【図８】長さ調節手段を備えている大径パイプが下方に存在する状態において、ジョイント基部と回転ネジ部と移動ネジ部から成る長さ調節手段の構成を示す分解斜視図である。
【図９】長さ調節手段を備えている大径パイプが下方に存在する状態において、大径パイプの上方から小径パイプを挿入した状態を示す長さ調節手段の側断面図である。
【図１０】長さ調節手段を備えている大径パイプが下方に存在する状態において、伸縮棒の長さを調節する過程を示すもので、（ａ）は大径パイプから小径パイプを上方に引き出す前の状態の側面図、（ｂ）は大径パイプから小径パイプを所定の長さに引き出して大まかな長さ調節を行なった状態の側面図、（ｃ）は回転ネジ部を回して小径パイプを若干伸ばすことで伸縮棒の長さの微調整を行ない、伸縮棒を床面と天井面の間等に突っ張り状態に固定した状態を示す側面図である。
【符号の説明】
Ｐ…長さ調節手段
１…大径パイプ
２…小径パイプ
３…ジョイント基部
３Ａ…環状凹部
３Ｂ…環状凸部
４…回転ネジ部
４Ａ…環状凸部
４Ｂ…雌ネジ
５…移動ネジ部
５Ａ…雄ネジ
５Ｂ…係止胴部
５Ｃ…ネジ孔
５Ｄ…環状凸部
６…止めネジ
７…当接片
８…ホルダー
９…横杆
【図１】
0003759710.tif 000002
【図２】
0003759710.tif 000003
【図３】
0003759710.tif 000004
【図４】
0003759710.tif 000005
【図５】
0003759710.tif 000006
【図６】
0003759710.tif 000007
【図７】
0003759710.tif 000008
【図８】
0003759710.tif 000009
【図９】
0003759710.tif 000010
【図１０】
0003759710.tif 000011